(57)【要約】【課題】フロア画像に表示される各単位画像のうち一部の単位画像に注目し易くする。【解決手段】遊技場に設置された複数の遊技用装置の各々に対応する複数の単位画像を配置したフロア画像、および、フロア画像を移動可能な指示子を表示装置に表示させる表示処理装置であって、指示子が位置するフロア画像におけるポイントを選択するための選択操作（例えばマウスクリック。図４（ａ）参照）、および、指示子を移動させるための移動操作（例えばマウスドラッグ。図４（ｂ）参照）を受付ける操作受付手段と、選択操作および移動操作に応じて規定されるフロア画像の一部（図４（ｃ）のＧｒの内側の領域）を分割領域として設定可能な分割領域設定手段と、複数の単位画像から分割領域内に含まれる単位画像を抜粋して表示する分割画像を表示可能である表示制御手段とを具備する。【選択図】図４
2019181014.tif 000002
【特許請求の範囲】
【請求項１】
遊技場に設置された複数の遊技用装置の各々に対応する複数の単位画像を配置したフロア画像、および、前記フロア画像を移動可能な指示子を表示装置に表示させる表示処理装置であって、
前記指示子が位置する前記フロア画像におけるポイントを選択するための選択操作、および、前記指示子を移動させるための移動操作を受付ける操作受付手段と、
前記選択操作および前記移動操作に応じて規定される前記フロア画像の一部を分割領域として設定可能な分割領域設定手段と、
前記複数の単位画像から前記分割領域内に含まれる前記単位画像を抜粋して表示する分割画像を表示可能である表示制御手段と、を具備する表示処理装置。
【請求項２】
遊技場に設置された複数の遊技用装置の各々に対応する複数の単位画像を配置したフロア画像を表示装置に表示させる表示処理装置であって、
前記フロア画像が予め定められた分割条件を満たすか否かを判定する判定手段と、
前記フロア画像が前記分割条件を満たす場合、前記フロア画像の一部を分割領域として自動的に設定可能な分割領域設定手段と、
前記複数の単位画像から前記分割領域内に含まれる前記単位画像を抜粋して表示する分割画像を表示可能である表示制御手段と、を具備する表示処理装置。
【請求項３】
前記表示制御手段は、前記フロア画像のうち前記分割領域を、前記分割画像において拡大して表示させる請求項１または２に記載の表示処理装置。
【請求項４】
前記分割領域設定手段は、前記フロア画像の一部を第１分割領域として設定可能であるとともに、前記フロア画像の他の一部を第２分割領域として設定可能であり、
前記表示制御手段は、前記第１分割領域に位置する前記単位画像を表示する第１分割画像を表示可能であるとともに、前記第２分割領域に位置する前記単位画像を表示する第２分割画像を前記第１分割画像に替えて表示可能である請求項１から３の何れかに記載の表示処理装置。
【請求項５】
遊技場に設置された複数の遊技用装置の各々に対応する複数の単位画像を配置したフロア画像、および、前記フロア画像を移動可能な指示子を表示装置に表示させる表示処理方法であって、
前記指示子が位置する前記フロア画像におけるポイントを選択するための選択操作、および、前記指示子を移動させるための移動操作を受付けるステップと、
前記選択操作および前記移動操作に応じて規定される前記フロア画像の一部を分割領域として設定可能なステップと、
前記複数の単位画像から前記分割領域内に含まれる前記単位画像を抜粋して表示する分割画像を表示するステップと、を具備する表示処理方法。
【請求項６】
前記請求項５に記載の表示処理方法における各ステップをコンピュータに実行させることを特徴とするプログラム。
【請求項７】
遊技場に設置された複数の遊技用装置の各々に対応する複数の単位画像を配置したフロア画像、および、前記フロア画像を移動可能な指示子を表示可能な表示装置と、
前記指示子が位置する前記フロア画像におけるポイントを選択するために選択操作されるとともに、前記指示子を移動させるために移動操作される操作装置と、
前記選択操作および前記移動操作に応じて規定される前記フロア画像の一部を分割領域として設定可能であるとともに、前記複数の単位画像から前記分割領域内に含まれる前記単位画像を抜粋して表示する分割画像を前記表示装置に表示可能な表示処理装置とを具備する表示処理システム。
【発明の詳細な説明】
【技術分野】
【０００１】
本発明は、表示処理装置、表示処理方法、プログラム、及び表示処理システムに関する。
【背景技術】
【０００２】
従来から、遊技場に設置された複数の遊技機（パチンコ機等）を管理するための画像を表示させる技術が採用されている。例えば、特許文献１には、複数の遊技機を管理するための画像であるフロア画像を表示装置に表示させる表示処理装置が開示されている。フロア画像には、複数の遊技機の各々に対応する複数の単位画像が配列して表示される。
【先行技術文献】
【特許文献】
【０００３】
【特許文献１】特開平８−３０９００８公報
【発明の概要】
【発明が解決しようとする課題】
【０００４】
上述の従来技術では、全ての単位画像が一の画像に表示される。以上の構成では、当該一の画像に表示される単位画像の個数が過多である場合、一部の単位画像に注目し難いという不都合がある。以上の事情を考慮して、本発明は、一部の単位画像に注目し易くすることを目的とする。
【課題を解決するための手段】
【０００５】
以上の課題を解決するために、本発明の第１態様の表示処理装置は、遊技場に設置された複数の遊技用装置の各々に対応する複数の単位画像を配置したフロア画像、および、フロア画像を移動可能な指示子を表示装置に表示させる表示処理装置であって、指示子が位置するフロア画像におけるポイントを選択するための選択操作、および、指示子を移動させるための移動操作を受付ける操作受付手段と、選択操作および移動操作に応じて規定されるフロア画像の一部を分割領域として設定可能な分割領域設定手段と、複数の単位画像から分割領域内に含まれる単位画像を抜粋して表示する分割画像を表示可能である表示制御手段とを具備する。
以上の構成によれば、フロア画像に表示された複数の単位画像から分割領域内に含まれる単位画像を抜粋して表示することができる。したがって、分割領域内に含まれる単位画像が抜粋して表示されない構成と比較して、当該単位画像に注目し易くなる。
また、本発明の第１態様によれば、指示子が位置するフロア画像におけるポイントを選択するための選択操作（例えばマウスクリック）、および、指示子を移動させるための移動操作（例えばマウスドラッグ）の態様に応じて、フロア画像の一部を分割領域として設定可能である。したがって、直感的且つ簡単な操作で、任意の分割領域が設定可能になるという利点がある。
【発明の効果】
【０００６】
本発明によれば、フロア画像に表示される各単位画像のうち一部の単位画像に注目し易くなる。
【図面の簡単な説明】
【０００７】
【図１】表示処理システムの一例の各構成を説明するための図である。
【図２】表示処理システムの一例の機能ブロック図である。
【図３】分割前画像および分割中画像の一例の模擬図である。
【図４】選択操作および移動操作の一例を説明するための図である。
【図５】分割領域が設定された分割中画像の模擬図である。
【図６】分割後画像の一例の模擬図である。
【図７】分割領域設定中処理のフローチャートである。
【図８】第２実施形態を説明するための図である。
【図９】変形例を説明するための図である。
【発明を実施するための形態】
【０００８】
＜第１実施形態＞
図１（ａ）は、本実施形態の表示処理システムＳの各構成を説明するための図である。図１（ａ）に示す通り、表示処理システムＳは、管理用コンピュータ１０、管理用ディスプレイ２０、ポインティングディバイス３０、管理用サーバ４０、遊技機５０および遊技用装置６０を含んで構成される。以上の各構成要素は、各種の情報を通信可能に接続される。
【０００９】
遊技機５０は、遊技媒体（遊技球、遊技メダル）を用いた遊技が可能である。遊技機５０としては、例えば、パチンコ遊技機およびパチスロ遊技機が想定される。パチンコ遊技機では、遊技球を遊技媒体として用いた遊技が可能である。パチスロ遊技機では、遊技メダルを遊技媒体として用いた遊技が可能である。図１（ａ）に示す通り、複数の遊技機５０がフロアＦに設置される。また、フロアＦにおいて、遊技用装置６０が遊技機５０の各々に対応して設置される。
【００１０】
遊技用装置６０の各々は、当該遊技用装置６０が対応する遊技機５０に接続される。図１（ａ）に示す通り、遊技用装置６０には、カード挿入口６１、紙幣挿入口６２および貸出ボタン６３が設けられる。カード挿入口６１には、会員カードＣＡおよびビジターカードＣＢの何れかが挿入可能である。以下において、会員カードＣＡおよびビジターカードＣＢを「カードＣ」と総称する場合がある。
【００１１】
会員カードＣＡは、予め定められた手続き（会員登録）をすることで、遊技者に付与される。例えば、遊技者の性別、誕生日および年齢を含む各種の情報を記載した書類を遊技場の管理者に提出した場合、当該遊技者に会員カードＣＡが付与される。なお、会員登録をする方法は、上述の例に限定されない。例えば、遊技者が自身の情報を特定の情報端末に入力することで、当該情報が遊技場に提供され、会員カードＣＡが付与される構成としてもよい。
【００１２】
会員カードＣＡを所持する遊技者は、遊技場に会員カードを持参する。遊技機５０で遊技する場合、遊技者は、当該遊技機５０に対応する遊技用装置６０に会員カードＣＡを挿入して遊技をする。会員カードＣＡには、当該会員カードＣＡを所持する遊技者を特定可能な遊技者ＩＤが記憶される。ビジターカードＣＢは、遊技場の店員により遊技用装置６０に予め挿入される。
【００１３】
紙幣挿入口６２には、紙幣が挿入可能である。紙幣が挿入された場合、当該紙幣の種類（金額）に応じて、残金情報が加算される。残金情報は、管理用サーバ４０に記憶される。遊技用装置６０の貸出ボタン６３が操作される毎に、残金情報が使用され、遊技媒体が貸出される。例えば、パチンコ遊技機では、貸出ボタン６３ｃが操作される毎に１２５個の遊技球が貸出される。ボタン６３が操作され遊技媒体が貸出された場合、貸出された遊技媒体の個数に応じて管理用サーバ４０の残金情報が減算される。例えば、パチンコ遊技機では、１２５個の遊技球が貸出された場合、残金情報から５００円が減算される。
【００１４】
図１（ｂ）は、フロアＦにおける遊技用装置６０および遊技機５０の設置場所を説明するための図である。図１（ｂ）は、フロアＦを上方から見た場合を想定する。なお、フロアＦには、遊技者が座る椅子等が設置されるが、図１（ｂ）では省略して示す。また、各遊技機５０には各遊技用装置６０が対応して設けられるが、図１（ｂ）では省略して示す。
【００１５】
図１（ｂ）に示す通り、カウンター、精算機、自動販売機、トイレおよび休憩スペースを含む各種の設備がフロアＦに設置される。精算機は、遊技者が遊技を中止する場合、上述の残金情報を精算するために設けられる。カウンターは、遊技者が獲得した遊技媒体を賞品と交換するために設けられる。
【００１６】
図１（ｂ）に示す通り、フロアＦには、各遊技機５０が横方向または縦方向に配列される。本実施形態では、説明のため、カウンターから自動販売機を見た場合に、左側に位置する各遊技機５０の集合をグループ１と言う。また、カウンターから見て正面側に位置する各遊技機５０の集合をグループ２と言う。同様に、カウンターから見て右側に位置する各遊技機５０の集合をグループ３と言う。
【００１７】
図１（ａ）に説明を戻す。図１（ａ）に示す通り、管理用サーバ４０は管理室Ｋに設置される。遊技用装置６０は、管理用サーバ４０に各種の情報を送信する。例えば、遊技用装置６０は、会員カードＣＡが挿入された場合、当該会員カードＣＡに記憶された遊技者ＩＤを管理用サーバ４０に送信する。
【００１８】
管理用サーバ４０には、会員登録の際に遊技者から提供された各種の情報が遊技者ＩＤ毎に記憶される。以上の情報は、例えば、遊技場の管理者が管理用コンピュータ１０を操作することで、管理用サーバ４０に記憶される。
【００１９】
管理用コンピュータ１０は、例えば、ＣＰＵ（Central Processing Unit）、ＲＯＭ（Read Only Memory）およびＲＡＭ（Random Access Memory）を具備する。ＲＯＭは、例えば、ＣＰＵが実行するプログラム（表示制御プログラム等）を記憶する。また、ＲＡＭは、ＣＰＵがプログラムを実行する際に参照する各種の情報を一時的に記憶する。なお、管理用コンピュータ１０のプロセッサとしてＣＰＵを採用したが、他のプロセッサ（例えばＭＰＵ（Micro Processing Unit））を採用してもよい。
【００２０】
管理用ディスプレイ２０は、管理用コンピュータ１０により制御され、各種の画像（例えば、後述の図６に示す分割画像Ｇａ）を表示可能である。具体的には、管理用ディスプレイ２０には、管理用コンピュータ１０に実行させる処理を利用者が選択可能とするための指示画像ＧＳ（後述の図３参照）が表示される。管理用ディスプレイ２０としては、液晶表示装置が好適に採用される。ただし、液晶表示装置以外を管理用ディスプレイ２０として採用してもよい。
【００２１】
ポインティングディバイス３０は、管理用ディスプレイ２０に表示される指示画像ＧＳを移動させるために操作される。図１（ａ）には、ポインティングディバイス３０の一例であるマウスが示される。ただし、ポインティングディバイス３０として他のディバイスを採用してもよい。例えば、タッチパッドをポインティングディバイス３０として採用してもよい。
【００２２】
以下において、指示画像ＧＳを移動させるための操作（例えば、マウスドラッグ）を単に「移動操作」と言う場合がある。また、ポインティングディバイス３０は、指示画像ＧＳが位置するポイントを選択するために操作（例えば、マウスクリック）される。以下において、指示画像ＧＳが位置するポイントを選択するために操作を単に「選択操作」と言う場合がある。
【００２３】
図２は、本実施形態の表示処理システムＳの機能ブロック図である。表示処理システムＳは、表示処理装置１００、表示装置２００、操作装置３００および情報記憶装置４００を含んで構成される。上述のＣＰＵがプログラムを実行することで、各機能が実現される。具体的には、上述の管理用コンピュータ１０が表示処理装置１００として機能する。また、管理用ディスプレイ２０が表示装置２００として機能し、ポインティングディバイス３０が操作装置３００として機能し、管理用サーバ４０が情報記憶装置４００として機能する。
【００２４】
情報記憶装置４００は、遊技機５０および遊技用装置６０と接続され、各種の情報を記憶する。例えば、上述した会員の情報および各遊技機５０の遊技状態等を特定可能な情報（以下「遊技者情報」という）が記憶される。遊技者情報は、表示装置２００により表示可能である。
【００２５】
図２に示す通り、表示処理装置１００は、表示制御部１０１、操作受付部１０２および分割領域設定部１０３を含んで構成される。表示制御部１０１は、各種の画像を表示装置２００に表示させる。例えば、表示制御部１０１は、上述の指示画像ＧＳを表示装置２００に表示させる。また、表示制御部１０１は、分割前画像ＧＮ（後述の図３（ａ）参照）、分割中画像ＧＭ（後述の図３（ｂ）および図５参照）、分割後画像Ｇｍ（後述の図６参照）を表示装置２００に表示させる。
【００２６】
操作受付部１０２は、操作装置３００からの各種の操作を受付ける。例えば、指示画像ＧＳが位置するポイントを選択するための選択操作、および、指示画像ＧＳを移動させるための移動操作を操作受付部１０２は受付ける。
【００２７】
詳細には後述するが、分割中画像ＧＭは、フロア画像Ｇｆを含む（図３（ｂ）参照）。表示処理装置１００の分割領域設定部１０３は、分割中画像ＧＭが表示される期間において、操作受付部１０２が受付けた選択操作および移動操作の態様に応じて、フロア画像Ｇｆの一部を一の分割領域として設定可能である。フロア画像Ｇｆのうち分割領域として設定された領域は、分割後画像Ｇｍにおいて拡大して表示される（図６参照）。
【００２８】
図３（ａ）は、表示装置２００に表示される分割前画像ＧＮの模擬図である。図３（ａ）に示す通り、分割前画像ＧＮには上述の指示画像Ｇｓが表示される。指示画像Ｇｓは、図３（ａ）に示す通り、矢印を表す画像である。ただし、他の形状の画像を指示画像Ｇｓとして採用してもよい。また、分割前画像ＧＮには、フロア画像Ｇｆが表示される。フロア画像Ｇｆは、複数の単位画像Ｇｔおよび複数の設備画像Ｇ（ｕ〜ｚ）を含んで構成される。
【００２９】
単位画像Ｇｔの各々は、遊技場のフロアＦに設置された遊技機５０（遊技用装置６０）の各々に対応する。本実施形態では、一の単位画像Ｇｔおよび他の単位画像Ｇｔのフロア画像Ｆにおける位置関係は、当該一の単位画像Ｇｔに対応する遊技機５０および当該他の単位画像Ｇｔに対応する遊技機５０のフロアＦにおける実際の位置関係と同じである。
【００３０】
単位画像Ｇｔが選択操作された場合、当該単位画像Ｇｔに対応する遊技機５０に関する情報が表示装置２００に表示される。例えば、遊技者が会員カードＣＡを使用して遊技している場合、当該遊技者の遊技者情報が表示装置２００に表示される。図３（ａ）では省略されるが、単位画像Ｇｔが対応する遊技機５０の台番号が当該単位画像Ｇｔに表示される。ただし、単位画像Ｇｔが台番号を表示しない構成としてもよい。
【００３１】
複数の設備画像Ｇ（ｕ〜ｚ）は、カウンターに対応する設備画像Ｇｕ、休憩スペースに対応する設備画像Ｇｖ、出入口に対応する設備画像Ｇｗ、自動販売機に対応する設備画像Ｇｘ、トイレに対応する設備画像Ｇｙおよび精算機に対応する設備画像Ｇｚを含む。本実施形態では、一の設備画像Ｇおよび他の設備画像Ｇのフロア画像Ｆにおける位置関係は、当該一の設備画像Ｇに対応する設備および当該他の設備画像Ｇに対応する設備のフロアＦにおける実際の位置関係と同じである。また、設備画像Ｇおよび単位画像Ｇｔのフロア画像Ｆにおける位置関係は、当該設備画像Ｇに対応する設備および当該単位画像Ｇｔに対応する遊技機５０のフロアＦにおける実際の位置関係と同じである。
【００３２】
図３（ａ）に示す通り、分割前画像ＧＮには、遊技者が遊技をしている遊技機５０の台数が表示される。図３（ａ）の具体例では、フロアＦに設置された１５０台の遊技機５０のうち６２台で遊技がされている場合を想定する。また、分割前画像ＧＮには、分割開始画像Ｇｂ１が表示される。操作装置３００が操作され、指示画像Ｇｓが分割開始画像Ｇｂ１まで移動し、選択操作（マウスクリック）がされた場合、分割中画像ＧＭが表示装置２００に表示される。
【００３３】
ところで、フロアＦに設置された遊技機５０が多いほどフロア画像Ｇｆに表示される単位画像Ｇｔの個数も多くなる。したがって、フロアＦに設置された遊技機５０の台数によっては、フロア画像Ｇｆに表示される単位画像Ｇｔの個数が過多になり、フロア画像Ｇｆの表示が煩雑になる不都合が想定される。以上の場合、注目すべき単位画像に注目し難くなる。
【００３４】
以上の事情を考慮して、本実施形態では、フロア画像Ｇｆに表示される全ての単位画像Ｇｔのうちの一部を抜粋して分割画像Ｇａに表示可能とした。以上の分割画像Ｇａによれば、フロア画像Ｇｆに全ての単位画像Ｇｔを表示する構成と比較して、一の画面に表示される単位画像Ｇｔの個数が少なくなる。したがって、一の画面に表示される単位画像Ｇｔが過多になる不都合が抑制できる。以上の構成について、以下で詳細に説明する。
【００３５】
図３（ｂ）は、分割中画像ＧＭの模擬図である。上述した通り、分割前画像ＧＮの分割開始画像Ｇｂ１が選択操作された場合に分割中画像ＧＭが表示装置２００に表示される。分割中画像ＧＭには、分割前画像ＧＮと同様に、複数の単位画像Ｇｔおよび複数の設備画像Ｇ（ｕ〜ｚ）を含むフロア画像Ｇｆが表示される。図３（ｂ）に示す通り、分割中画像ＧＭは、分割終了画像Ｇｂ２を含む。分割終了画像Ｇｂ２が操作された場合、分割後画像Ｇｍ（図６参照）が表示装置２００に表示される。
【００３６】
表示処理装置１００の利用者（例えば遊技場の管理者）は、分割中画像ＧＭが表示される期間において、操作装置３００により選択操作および移動操作をすることで、フロア画像Ｇｆにおける任意の領域を分割領域として設定できる。本実施形態では、説明のため、１個の分割領域を設定するための一連の選択操作および移動操作を「分割領域設定操作」と言う場合がある。利用者は、分割領域設定操作を繰り返すことで、フロア画像Ｇｆに複数の分割領域を設定することができる（後述の図５参照）。
【００３７】
図４（ａ）から図４（ｃ）は、分割領域設定操作（選択操作および移動操作）の具体例を説明するための図である。図４（ａ）から図４（ｃ）では、分割中画像ＧＭのフロア画像Ｇｆのうち上述のグループ１（図１（ｂ）参照）の各単位画像Ｇｔの近傍の領域が表示され、他の領域は省略して示される。本実施形態では、説明のため、指示画像Ｇｓのうち矢印の先端をポイントＰｘと言う。ポイントＰｘが位置する領域が選択操作される。
【００３８】
図４（ａ）から図４（ｃ）の具体例では、フロア画像Ｇｆの各単位画像Ｇｔのうちグループ１の各単位画像Ｇｔを含む分割領域が設定される場合を想定する。以上の場合、まず、図４（ａ）に示す領域Ｒ１、領域Ｒ２、領域Ｒ３、および、領域Ｒ４の何れかに指示画像ＧｓのポイントＰｘ（先端）を移動させる。
【００３９】
図４（ａ）に示す通り、領域Ｒ１は、グループ１の各単位画像Ｇｔのうち最も上側に位置する単位画像Ｇｔより上側の領域であり、且つ、グループ１の各単位画像Ｇｔのうち最も左側に位置する単位画像Ｇｔより左側の領域である。また、領域Ｒ２は、グループ１の各単位画像Ｇｔのうち最も下側に位置する単位画像Ｇｔより下側の領域であり、且つ、グループ１の各単位画像Ｇｔのうち最も右側に位置する単位画像Ｇｔより右側の領域である。
【００４０】
領域Ｒ３は、グループ１の各単位画像Ｇｔのうち最も上側に位置する単位画像Ｇｔより上側の領域であり、且つ、グループ１の各単位画像Ｇｔのうち最も右側に位置する単位画像Ｇｔより右側の領域である。また、領域Ｒ４は、グループ１の各単位画像Ｇｔのうち最も下側に位置する単位画像Ｇｔより下側の領域であり、且つ、グループ１の各単位画像Ｇｔのうち最も左側に位置する単位画像Ｇｔより左側の領域である。領域Ｒ１、領域Ｒ２、領域Ｒ３、および、領域Ｒ４には単位画像Ｇｔが位置しない。
【００４１】
領域Ｒ１、領域Ｒ２、領域Ｒ３、および、領域Ｒ４の何れかにポイントＰｘを移動させた後に、利用者はマウスクリック（選択操作）をする。図４（ａ）の具体例では、マウスクリックをしたポイントＰｓが領域Ｒ１に位置する場合を想定する。利用者はマウスクリックをした後に、指示画像Ｇｓを移動させる。具体的には、操作装置３００のマウスクリックを維持した状態（ボタンを押下したままの状態）でマウスドラッグ（移動操作）をする。
【００４２】
図４（ｂ）は、移動操作の途中で表示装置２００に表示される各画像を説明するための図である。グループ１の各単位画像Ｇｔを含む分割領域を設定する場合であって、領域Ｒ１で選択操作した場合（ポイントＰｓが領域Ｒ１に位置する場合）、指示画像Ｇｓを領域Ｒ２へ移動させる。図４（ｂ）に示す通り、選択操作をした後に移動操作をした場合、分割領域画像Ｇｒが表示装置２００に表示される。
【００４３】
分割領域画像Ｇｒは、選択操作をしたポイントＰｓおよび指示画像ＧｓのポイントＰｘを端点とする線分が対角線になる略矩形の画像である。指示画像ＧｓのポイントＰｘは、移動操作に応じて移動する。以上の構成では、分割領域画像Ｇｒの形状は、指示画像Ｇｓの移動に応じて変化する。
【００４４】
本実施形態では、分割領域画像Ｇｒの外縁で囲まれた領域を分割領域として設定可能である。したがって、利用者は、分割領域に含めたい単位画像Ｇｔの全てが分割領域画像Ｇｒの内側に位置するように、指示画像Ｇｓの移動操作をする。例えば、領域Ｒ１で選択操作した後に、指示画像ＧｓのポイントＰｘを領域Ｒ２まで移動させた場合、グループ１の各単位画像Ｇｔが分割領域画像Ｇｒの外縁で囲まれた状態になる。
【００４５】
図４（ｃ）は、分割領域が設定された直後に表示装置２００が表示する各画像の模擬図である。本実施形態では、移動操作（マウスドラッグ）がされ、その後、マウスクリックを解除する操作（マウスドロップ）をした場合（移動操作が終了した場合）、分割領域が設定される。具体的には、移動操作をした後にマウスドロップがされた時点において、分割領域画像Ｇｒの外縁で囲まれた領域が分割領域として設定される。
【００４６】
上述した通り、移動操作の途中では、分割領域画像Ｇｒは、ポイントＰｓおよびポイントＰｘを端点とする線分が対角線になる略矩形の画像であり、ポイントＰｘの移動に応じて形状が変化する。移動操作が終了した時点におけるポイントＰｘの位置をポイントＰｅとした場合、分割領域画像Ｇｒの形状（外縁の位置）は、ポイントＰｓおよびポイントＰｘを端点とする線分が対角線となる略矩形で固定される。
【００４７】
図４（ｃ）に示される通り、分割領域が設定された場合、当該分割領域が特定の色彩で表示される。以上の構成によれば、フロア画像Ｇｆにおいて、分割領域として設定されていない領域と分割領域として設定された領域とを区別して把握し易いという利点がある。ただし、分割領域が特定の色彩で表示されない構成としてもよい。
【００４８】
以上が分割領域設定操作（選択操作、移動操作）の一例である。なお、図４（ａ）から図４（ｃ）の具体例では、グループ１の各単位画像Ｇｔを含む分割領域を設定するための分割領域設定操作の一例として、選択操作がされたポイントＰｓが領域Ｒ１に位置し、移動操作が終了したポイントＰｅが領域Ｒ２に位置する場合を示した。しかし、ポイントＰｓが領域Ｒ３に位置し、ポイントＰｅが領域Ｒ４に位置する分割領域設定操作であっても、グループ１の各単位画像Ｇｔを含む分割領域が設定される。
【００４９】
また、ポイントＰｓが領域Ｒ２に位置し、ポイントＰｅが領域Ｒ１に位置する分割領域設定操作であっても、グループ１の各単位画像Ｇｔを含む分割領域が設定される。同様に、ポイントＰｓが領域Ｒ４に位置し、ポイントＰｅが領域Ｒ３に位置する分割領域設定操作であっても、グループ１の各単位画像Ｇｔを含む分割領域が設定される。
【００５０】
以上の通り、本実施形態では、指示画像Ｇｓ（指示子）が位置するフロア画像Ｇｆにおけるポイントを選択するための選択操作（例えばマウスクリック）、および、指示画像Ｇｓを移動させるための移動操作（例えばマウスドラッグ）の態様に応じて、フロア画像Ｇｆの一部を一の分割領域として設定可能である。したがって、比較的簡単な操作で、任意の分割領域を直感的に設定可能であるという利点がある。
【００５１】
図５は、分割領域が設定された後の分割中画像ＧＭの模擬図である。本実施形態では、分割中画像ＧＭが表示される期間において、分割領域設定操作を繰り返すことで、フロア画像Ｇｆに複数の分割領域を設定できる。
【００５２】
図５の具体例では、設備画像Ｇｕ（カウンター）から見て左側のグループ１の各単位画像Ｇｔが位置する分割領域（以下「分割領域Ｂ１」）、設備画像Ｇｕから見て正面側のグループ２の各単位画像Ｇｔが位置する分割領域（以下「分割領域Ｂ２」）、および、設備画像Ｇｕから見て右側のグループ３の各単位画像Ｇｔが位置する分割領域（以下「分割領域Ｂ３」）が設定された場合を想定する。
【００５３】
図５に示す通り、分割領域Ｂ１、分割領域Ｂ２および分割領域Ｂ３は、互いに異なる色彩で表示される。以上の構成によれば、各分割領域が別々の領域として認識し易いという利点がある。ただし、各分割領域が共通の色彩で表示される構成としてもよい。
【００５４】
図５から把握される通り、分割領域Ｂ２には各単位画像Ｇｔに加え、自動販売機に対応する設備画像Ｇｘおよびトイレに対応する設備画像Ｇｙが含まれる。詳細には後述するが、分割領域に設備画像Ｇ（ｕ〜ｚ）が含まれる場合、当該分割領域に含まれる各単位領域Ｇｔに加え当該設備画像が分割画像Ｇａ（図６（ｂ）参照）に表示される。
【００５５】
ところで、選択操作がされたポイントＰｓおよび移動操作が終了したポイントＰｅの位置によっては、単位画像Ｇｔの一部が分割領域に含まれ、該単位画像Ｇｔの他の一部が当該分割領域に含まれない場合がある。以上の場合、当該単位画像Ｇｔは、分割画像Ｇａに表示されない。同様に、設備画像Ｇ（ｕ〜ｚ）の一部が分割領域に含まれ、該設備画像Ｇの他の一部が当該分割領域に含まれない場合がある。以上の場合、当該設備画像Ｇは、分割画像Ｇａに表示されない。
【００５６】
例えば、図５の具体例では、精算機に対応する設備画像Ｇｚの一部が分割領域Ｂ２に含まれ、該設備画像Ｇｚの他の一部が分割領域Ｂ２に含まれない。以上の場合、分割領域Ｂ２を表示する分割画像Ｇａに設備画像Ｇｚは表示されない。ただし、一部が分割領域に含まれる画像が分割画像Ｇａに表示される構成としてもよい。また、以上の構成において、分割領域に一部のみが含まれる画像について、分割画像Ｇａでは当該画像の当該一部のみが表示される構成としてもよい。また、分割領域に一部のみが含まれる画像について、分割画像Ｇａでは当該画像の全体が表示される構成としてもよい。
【００５７】
図５に示す通り、分割領域Ｂ１の上下方向の長さはＬｔである。図５の具体例では、分割領域Ｂ１の上下方向の長さＬｔは、分割領域Ｂ１の左右方向の長さより長い。また、図５に示す通り、分割領域Ｂ２の左右方向の長さはＬｙである。図５の具体例では、分割領域Ｂ２の左右方向の長さＬｙは、分割領域Ｂ２の上下方向の長さより長い。
【００５８】
図６（ａ）および図６（ｂ）は、分割後画像Ｇｍの模擬図である。分割後画像Ｇｍは、上述の分割中画像ＧＭの分割終了画像Ｇｂ２が操作された場合に表示装置２００に表示される。また、分割後画像Ｇｍは、上述の分割画像Ｇａを表示する。
【００５９】
図６（ａ）および図６（ｂ）の具体例では、上述の図５の具体例と同様に、グループ１の各単位画像Ｇｔを含む分割領域Ｂ１、グループ２の各単位画像Ｇｔを含む分割領域Ｂ２、および、グループ３の各単位画像Ｇｔを含む分割領域Ｂ３が分割中画像ＧＭに設定された場合を想定する。以上の場合、分割領域Ｂ１を表示する分割画像Ｇａ１、分割領域Ｂ２を表示する分割画像Ｇａ２、および、分割領域Ｂ３を表示する分割画像Ｇａ３（図示略）が分割後画像Ｇｍに切替えて表示可能である。
【００６０】
図６（ａ）および図６（ｂ）に示す通り、分割後画像Ｇｍは、分割画像Ｇａ（１、２）に加え、複数の領域選択画像Ｇｋ（１〜３）、稼働表示画像Ｇｊおよび指示画像Ｇｓを含む。稼働表示画像Ｇｊは、各分割領域に設置された遊技機５０（遊技用装置６０）の台数、および、当該分割領域の遊技機５０のうち遊技者が遊技している遊技機５０の台数を表示する。例えば、図６（ａ）および図６（ｂ）の具体例では、分割領域Ｂ１（グループ１）に合計で４５台の遊技機が設置される。また、分割領域Ｂ１で遊技されている遊技機５０の台数は２０台である。また、稼働表示画像Ｇｊは、フロアＦに設置された遊技機５０の合計台数、および、フロアＦの遊技機５０のうち遊技者が遊技している遊技機５０の合計台数を表示する。
【００６１】
分割後画像Ｇｍには、分割中画像ＧＭで設定された複数の分割領域と同数の領域選択画像Ｇｋが表示される。複数の領域選択画像Ｇｋは、分割中画像ＧＭのフロア画像Ｇｆに設定された分割領域の各々に対応する。また、領域選択画像Ｇｋは指示画像Ｇｓにより選択操作が可能である。
【００６２】
領域選択画像Ｇｋの選択操作がされた場合、当該領域選択画像Ｇｋに対応する分割領域を表示する分割画像Ｇａが表示される。図６（ａ）および図６（ｂ）の具体例では、分割領域Ｂ１に対応する領域選択画像Ｇｋ１、分割領域Ｂ２に対応する領域選択画像Ｇｋ２、および、分割領域Ｂ３に対応する領域選択画像Ｇｋ３が表示される。
【００６３】
図６（ａ）は、領域選択画像Ｇｋ１が選択操作された場合の分割後画像Ｇｍの模擬図である。領域選択画像Ｇｋ１が選択操作された場合、分割領域Ｂ１を表示する分割画像Ｇａ１が分割後画像Ｇｍに表示される。本実施形態では、分割領域と当該分割領域を表示する分割画像Ｇａとでは、アスペクト比（短辺と長辺との長さの比率）が略等しい。
【００６４】
分割画像Ｇａは、上下方向の辺が左右方向の辺より長い場合（縦長の矩形の場合）、上下方向の長さがＬＴに表示される。例えば、図６（ａ）に示す通り、分割画像Ｇａ１は縦長の矩形である。したがって、分割画像Ｇａ１の上下方向の辺の長さはＬＴになる。
【００６５】
上述した通り、フロア画像Ｇｆにおける分割領域Ｂ１の上下方向の長さはＬｔである。したがって、分割領域Ｂ１は、フロア画像Ｇｆから分割画像Ｇａ１に表示する画像が切替えられた場合、上下方向の長さがＬｔからＬＴに変化する。
【００６６】
図５および図６（ａ）から理解される通り、フロア画像Ｇｆと比較して、分割後画像Ｇｍでは表示する単位画像Ｇｔおよび設備画像Ｇ（ｕ〜ｚ）の個数が少ない。以上の構成では、フロア画像Ｇｆにおける分割領域Ｂ１の長辺の長さＬｔと比較して、分割後画像Ｇｍにおける分割画像Ｇａ１の長辺の長さＬＴは長くできる。
【００６７】
上述した通り、分割領域と当該分割領域を表示する分割画像Ｇａとではアスペクト比が略等しいため、分割画像Ｇａの長辺がフロア画像Ｇｆにおける分割領域の長辺より長い場合、分割画像Ｇａの短辺はフロア画像Ｇｆにおける分割領域の短辺より長くなる。以上の構成によれば、フロア画像Ｇｆにおける分割領域Ｂ１は、分割画像Ｇａ１において拡大して表示される。したがって、フロア画像Ｇｆより分割画像Ｇａ１では、分割領域Ｂ１の視認性を向上させることができる。
【００６８】
図６（ｂ）は、領域選択画像Ｇｋ２が選択操作された場合の分割後画像Ｇｍの模擬図である。領域選択画像Ｇｋ２が選択操作された場合、分割領域Ｂ２を表示する分割画像Ｇａ２が分割後画像Ｇｍに表示される。
【００６９】
分割画像Ｇａは、左右方向の辺が上下方向の辺より長い場合（横長の矩形の場合）、左右方向の長さがＬＹに表示される。例えば、図６（ｂ）に示す通り、分割画像Ｇａ２は横長の矩形である。したがって、分割画像Ｇａ２の左右方向の辺の長さはＬＹになる。上述した通り、フロア画像Ｇｆにおける分割領域Ｂ２の左右方向の長さはＬｙである。したがって、分割領域Ｂ２は、フロア画像Ｇｆから分割画像Ｇａ２に表示する画像が切替えられた場合、左右方向の長さがＬｙからＬＹに変化する。
【００７０】
上述した通り、フロア画像Ｇｆと比較して、分割後画像Ｇｍでは表示する単位画像Ｇｔおよび設備画像Ｇ（ｕ〜ｚ）の個数が少ない。以上の構成では、フロア画像Ｇｆにおける分割領域Ｂ２の長辺の長さＬｙと比較して、分割後画像Ｇｍにおける分割画像Ｇａ２の長辺の長さＬＹは長くできる。また、上述した通り、分割領域と分割画像Ｇａとではアスペクト比が略等しいため、分割画像Ｇａの長辺がフロア画像Ｇｆにおける分割領域の長辺より長い場合、分割画像Ｇａの短辺はフロア画像Ｇｆにおける分割領域の短辺より長くなる。以上の構成によれば、フロア画像Ｇｆにおける分割領域Ｂ２は、分割画像Ｇａ２において拡大して表示される。したがって、フロア画像Ｇｆより分割画像Ｇａ２では、分割領域Ｂ２の視認性を向上させることができる。
【００７１】
以上の説明から理解される通り、本実施形態では、フロア画像Ｇｆの一部の分割領域Ｂを分割画像Ｇａとして抜粋して分割後画像Ｇｍに表示するため、分割画像Ｇａでは当該分割領域Ｂを拡大して表示することができる。以上の構成によれば、分割画像Ｇａに表示することで分割領域Ｂの視認性を向上させることができる。
【００７２】
なお、分割画像Ｇａの大きさは以上の具体例に限定されない。例えば、分割後画像Ｇｍにおいて稼働表示画像Ｇｊを省略し、且つ、分割画像Ｇａの長さＬＹを図６（ｂ）の具体例より長くしてもよい。以上の構成では、図６（ｂ）の具体例と比較して、分割画像Ｇａをより大きくすることができる。すなわち、分割画像Ｇａにおいて分割領域Ｂをより拡大して表示することができる。
【００７３】
図７は、分割領域設定中処理のフローチャートである。分割領域設定中処理は、表示処理装置１００により実行される。表示処理装置１００は、上述の分割中画像ＧＭが表示される期間において、分割領域設定中処理を実行する。
【００７４】
図７に示す通り、表示処理装置１００は、分割領域設定中処理を開始すると、フロア画像Ｇｆ（上述の図３参照）の何れかのポイントで選択操作（マウスクリック）がされたか否かを判定する（Ｓ１０１）。選択操作がされていないと判断した場合（Ｓ１０１：ＮＯ）、表示処理装置１００は、ステップＳ１０５に処理を進める。一方、選択操作がされたと判断した場合（Ｓ１０１：ＹＥＳ）、表示処理装置１００は、移動操作時処理（Ｓ１０２）へ移行する。
【００７５】
移動操作時処理において、表示処理装置１００は、分割領域画像Ｇｒをフロア画像Ｇｆに表示させる。具体的には、表示処理装置１００は、上述のステップＳ１０１で選択操作されたポイント、および、指示画像Ｇｓの先端を両端とする線分が対角線となる分割領域画像Ｇｒを表示させる（上述の図４（ｂ）参照）。
【００７６】
表示処理装置１００は、移動操作が終了したか否か（マウスドロップがされたか否か）を判定する（Ｓ１０３）表示処理装置１００は、移動操作が継続していると判断した場合（Ｓ１０３：ＮＯ）、上述の移動操作時処理を繰返し実行する。一方、移動操作が終了したと判断した場合（Ｓ１０３：ＹＥＳ）、表示処理装置１００は、分割領域設定処理（Ｓ１０４）に移行する。
【００７７】
分割領域設定処理において、表示処理装置１００は、分割領域画像Ｇｒの内側の領域を分割領域として設定する。また、表示処理装置１００は、分割領域設定処理において、分割領域として設定した領域を特定の色彩で表示する（上述の図４（ｃ）参照）。以上の説明から理解される通り、上述のステップＳ１０１からステップＳ１０４により、１個の分割領域がフロア画像Ｇｆに設定される。
【００７８】
分割領域設定処理を実行した後に、表示処理装置１００は、分割終了画像Ｇｂ２（図６参照）が操作されたか否かを判定する（Ｓ１０５）。分割終了画像Ｇｂ２が操作されていないと判断した場合（Ｓ１０５：ＮＯ）、表示処理装置１００は、上述のＳ１０１からステップＳ１０４を繰返し実行する。以上の構成では、分割中画像ＧＭが表示される期間において、複数個の分割領域を設定可能である。分割終了画像Ｇｂが選択操作されたと判断した場合（Ｓ１０５：ＮＯ）、表示処理装置１００は、分割領域設定中処理を終了する。
【００７９】
＜第２実施形態＞
本発明の他の実施形態を以下に説明する。なお、以下に例示する各形態において作用や機能が第１実施形態と同等である要素については、第１実施形態の説明で参照した符号を流用して各々の詳細な説明を適宜に省略する。
【００８０】
図８（ａ）および図８（ｂ）は、第２実施形態の構成を説明するための図である。図８（ａ）は、分割前画像ＧＮおよび分割中画像ＧＮに表示されるフロア画像Ｇｆの概念図である。図８（ａ）に示す通り、第２実施形態のフロア画像Ｇｆには、第１実施形態のフロア画像Ｇｆと同様に、遊技場に設置された各遊技用装置６０に対応する各単位画像Ｇｔが表示される。第２実施形態では、予め定められた表示面積で単位画像Ｇｔの各々がフロア画像Ｇｆに表示される。
【００８１】
図８（ａ）には、表示装置２００の画面で表示可能な領域Ｒが示される。図８（ａ）から理解される通り、第２実施形態におけるフロア画像Ｇｆは領域Ｒより広い。したがって、フロア画像Ｇｆに配置された各単位画像Ｇｔを表示装置２００で一度に表示することはできない。第２実施形態では、操作装置３００を操作（例えばスクロール操作）することで、領域Ｒで表示されるフロア画像Ｇｆの位置を変更可能である。
【００８２】
上述の第１実施形態では、利用者の選択操作および移動操作に応じて、分割領域が設定された。第２実施形態では、予め定められた分割条件が成立した場合、分割領域が自動的に設定される。具体的には、第２実施形態の表示処理装置１００は判定部を備える。以上の判定部は、フロア画像が分割条件を満たすか否かを判定する。分割条件を満たすと判定部が判断した場合、フロア画像Ｇｆに分割領域が自動的に設定される。
【００８３】
分割領域が自動的に設定される分割条件は、適宜に設定できる。例えば、図８（ａ）の具体例の様に、表示装置２００の画面（領域Ｒ）よりフロア画像Ｇｆが大きい場合、分割条件が満たされる構成が考えられる。また、フロア画像Ｇｆに配置される単位画像Ｇｔの合計個数が閾値（例えば１００個）より多い場合、分割条件が満たされる構成としてもよい。さらに、フロア画像Ｇｆに配置される単位画像Ｇｔおよび設備画像Ｇの合計個数が閾値より多い場合、分割条件が満たされる構成としてもよい。
【００８４】
第２実施形態において、分割領域が自動的に設定される場合、当該分割領域の位置は、予め定められた規則に沿って決定される。例えば、第２実施形態では、予め定められた距離（以下「距離ｄｚ」という）より近い位置に表示される各単位領域Ｇｔは、互いに共通の分割領域に含まれるように、フロア画像Ｇｆに分割領域が設定される。
【００８５】
図８（ａ）の具体例では、例えば、単位画像Ｇｔ１および単位画像Ｇｔ２の様に、互いに隣接する各単位画像Ｇｔは、共通の分割領域に含まれる。また、図８（ａ）の具体例では、単位画像Ｇｔ３から単位画像Ｇｔ４までの距離ｄｘが距離ｄｚより小さい場合を想定する。以上の場合、単位画像Ｇｔ３および単位画像Ｇｔ４は、共通の分割領域に含まれる。また、単位画像Ｇｔ５から単位画像Ｇｔ６までの距離ｄｙが距離ｄｚより大きい場合を想定する。以上の場合、単位画像Ｇｔ５および単位画像Ｇｔ６は、別々の分割領域に含まれる。
【００８６】
図８（ｂ）は、上述の図８（ａ）のフロア画像Ｇｆに自動的に設定された分割領域を説明するための図である。上述の規則に沿って図８（ａ）のフロア画像Ｇｆに自動的に分割領域を設定した場合、図８（ｂ）に示す様に３個の分割領域が設定される。フロア画像Ｇｆに設定された各分割領域は、別々の分割画像Ｇａにおいて個別に表示装置２００に表示される（第１実施形態と同様）。
【００８７】
なお、分割領域を設定するための規則は、上述した例に限定されない。例えば、フロア画像Ｇｆが自動的にＮ等分（Ｎは２以上の正数）され、Ｎ等分されたフロア画像Ｇｆの各々が分割領域として設定される構成としてもよい。また、遊技性および演出性が相違する複数種類の遊技機５０が遊技場に設置される場合、同じ種類の遊技機５０が同じ分割領域に含まれるように、分割領域が自動的に設定される構成としてもよい。
【００８８】
＜変形例＞
以上の各形態は多様に変形される。具体的な変形の態様を以下に例示する。以下の例示から任意に選択された２以上の態様は適宜に併合され得る。
【００８９】
（１）上述の各形態において、分割領域を設定する際に表示される指示画像Ｇｓおよび分割領域画像Ｇｒは、適宜に変更してもよい。
【００９０】
図９（ａ−１）から図９（ａ−３）は、変形例における指示画像Ｇｓおよび分割領域画像Ｇｒを説明するための図である。図９（ａ−１）から図９（ａ−３）には、フロア画像Ｇｆに配置される各単位画像Ｇｔの一部が示される。具体的には、フロア画像Ｇｆに配置された各単位画像Ｇｔのうち、グループａに含まれる各単位画像Ｇｔおよびグループｂに含まれる各単位画像Ｇｔが示される。図９（ａ−１）に示す通り、グループａの各単位画像Ｇｔは、上下方向に配列された各単位画像Ｇｔおよび左右方向に配列された各単位画像Ｇｔを含む。また、グループｂの各単位画像Ｇｔは、グループａの各単位画像Ｇｔに近接して配置される。
【００９１】
図９（ａ−１）に示す通り、当該変形例における指示画像Ｇｓは、中心から上方向に延びる部分、中心から下方向に延びる部分、中心から右方向に延びる部分、および、中心から左方向に延びる部分を含む画像である。以下、説明のため、指示画像Ｇｓの中心をポイントＰｘという。利用者が選択操作をした場合、ポイントＰｘが位置するフロア画像Ｇｆのポイントが選択される。
【００９２】
図９（ａ−２）は、当該変形例における、分割領域が設定される途中を説明するための図である。図９（ａ−２）の具体例では、ポイントＰｓ１で選択操作（マウスクリック）がされた場合を想定する。また、ポイントＰｓ１で選択操作された後に、ポイントＰｓ２へ指示画像Ｇｓが移動する様に移動操作（マウスドラッグ）された場合を想定する。さらに、ポイントＰｓ２で移動操作が終了（マウスドロップ）した場合を想定する。
【００９３】
以上の場合、図９（ａ−２）に示す通り、ポイントＰｓ１およびポイントＰｓ２を端点とする線分の分割領域画像Ｇｒが表示される。また、前回の移動操作が終了したポイントＰｓ２を選択操作し、再度移動操作をすることで、分割領域画像Ｇｒを延長することができる。
【００９４】
図９（ａ−２）の具体例では、ポイントＰｓ２を選択操作した後に、ポイントＰｓ３の方向へ指示画像Ｇｓが移動する途中が示される。以上の場合、ポイントＰｓ１およびポイントＰｓ２を端点とする線分に加え、ポイントＰｓ２からポイントＰｓ３の方向に向かう線分が分割領域画像Ｇｒとして表示される。当該変形例では、移動操作を終了したポイントＰｅが選択操作を最初にしたポイントＰｓ（図９の例ではポイントＰｓ１）と一致する場合、分割領域画像Ｇｒで囲まれる領域が分割領域として設定される。
【００９５】
図９（ａ−３）の具体例では、ポイントＰｓ１で選択操作され、ポイントＰｓ２で移動操作が終了し、ポイントＰｓ２で選択操作され、ポイントＰｓ３で移動操作が終了し、ポイントＰｓ３で選択操作され、ポイントＰｓ４で移動操作が終了し、ポイントＰｓ５で選択操作され、ポイントＰｓ６で移動操作が終了し、ポイントＰｓ６で選択操作され、ポイントＰｓ１で移動操作が終了した場合を想定する。以上の具体例では、図９（ａ−３）に示す通り、グループａの各単位画像Ｇｔが内側に位置する分割領域画像Ｇｒが表示され、グループａの各単位画像Ｇｔが含まれる分割領域が設定される。
【００９６】
ところで、仮に分割領域が四角形に限られる構成を想定する。以上の構成では、グループａの全ての単位領域Ｇｔを含む分割領域を設定する場合、グループｂの単位領域Ｇｔが当該分割領域に含まれてしまう不都合がある。図９（ａ−１）から図９（ａ−３）の変形例によれば、分割領域の外縁の形状の自由度が高いため、上述の不都合が抑制されるという利点がある。
【００９７】
図９（ｂ−１）から図９（ｂ−３）は、他の変形例における指示画像Ｇｓおよび分割領域画像Ｇｒを説明するための図である。図９（ｂ−１）から図９（ｂ−３）には、フロア画像Ｇｆに配置される各単位画像Ｇｔの一部が示される。具体的には、フロア画像Ｇｆに配置された各単位画像Ｇｔのうち、グループｃに含まれる各単位画像Ｇｔが示される。図９（ｂ−１）に示す通り、グループｃの各単位画像Ｇｔは、略円状に配置される。
【００９８】
図９（ｂ−２）は、分割領域が設定される途中を説明するための図である。図９（ｂ−２）の具体例では、ポイントＰｓで選択操作（マウスクリック）がされた場合を想定する。また、ポイントＰｓで選択操作された後に、ポイントＰｅへ指示画像Ｇｓが移動する様に移動操作（マウスドラッグ）された場合を想定する。
【００９９】
図９（ｂ−２）に示す通り、当該変形例における分割領域画像Ｇｒは略円形である。具体的には、分割領域画像Ｇｒは、選択操作がされたポイントＰｓおよび指示画像ＧｓのポイントＰｘを両端とする線分が直径となる円である。以上の構成では、移動操作によりポイントＰｘがポイントＰｓから離れるほど、分割領域画像Ｇｒは大きく表示される。
【０１００】
図９（ｂ−３）は、当該変形例において、移動操作が終了した直後を説明するための図である。図９（ｂ−３）の具体例では、ポイントＰｓで選択操作され、ポイントＰｅで移動操作が終了（マウスドロップ）した場合を想定する。以上の図９（ｂ−３）の具体例では、グループｃの各単位画像Ｇｔが分割領域画像Ｇｒの内側に位置する。以上の場合、グループｃは、共通の分割領域に含まれる。
【０１０１】
以上の通り、分割領域画像Ｇｒとしては、第１実施形態の図４に示した分割領域画像Ｇｒ、図９（ａ−１）から図９（ａ−３）に示した分割領域画像Ｇｒ、および、図９（ｂ−１）から図９（ｂ−３）に示した分割領域画像Ｇｒが考えられる。なお、他の分割領域画像Ｇｒを採用してもよい。
【０１０２】
また、分割領域を規定する分割領域画像Ｇｒを複数種類から選択可能な構成としてもよい。例えば、図９（ａ−１）に示したグループｂの各単位画像Ｇｔが含まれる分割領域を規定する場合、図４で示した分割領域画像Ｇｒにより分割領域を規定する。その後、図９（ａ−１）に示したグループａの各単位画像Ｇｔが含まれる分割領域を規定する場合、図９で示した分割領域画像Ｇｒにより分割領域を規定する。
【０１０３】
ところで、図９（ａ−１）に示したグループｂの各単位画像Ｇｔが含まれる分割領域を規定する場合、図９で示した分割領域画像Ｇｒにより分割領域を規定することも可能である。しかし、図９で示した分割領域画像Ｇｒにより分割領域を規定する場合、図４で示した分割領域画像Ｇｒにより分割領域を規定する場合と比較して、選択操作および移動操作の回数が多くなる。利用者は、分割領域として設定したい領域の形状を考慮して分割領域画像Ｇｒを適宜に切替えることで、分割領域として設定する領域の形状の自由度を向上させつつ、選択操作および移動操作の回数を最小にすることができる。
【０１０４】
（２）上述の各形態では、１の単位画像Ｇｔが１の分割領域に含まれる構成を例示した。しかし、１の単位画像Ｇｔが複数の分割領域に含まれる構成としてもよい。例えば、フロア画像Ｇｆに分割領域画像Ｇｒを表示する場合、１個の単位画像Ｇｔが複数の分割領域画像Ｇｒの内側に位置する様に、各分割領域画像Ｇｒを規定する。以上の構成では、複数の分割領域に含まれる単位画像Ｇｔは、複数の分割画像において表示される。
【０１０５】
（３）上述の第１実施形態では、選択操作および移動操作の態様によっては、何れの分割画像領域Ｇｒの内側にも位置しない単位画像Ｇｔ（以下「余り単位画像Ｇｔ」という）が存在し得る。以上の場合において、余り単位画像Ｇｔの扱いは適宜に設定できる。例えば、余り単位画像Ｇｔは分割後画像Ｇｍの分割画像Ｇａに表示されない構成としてもよい。また、余り単位画像Ｇｔが生じた場合、当該余り単位画像Ｇｔに最も近接する単位画像Ｇｔの分割領域に当該余り単位画像Ｇｔが自動的に含まれる構成としてもよい。さらに、余り単位画像Ｇｔが生じた場合、当該余り単位画像Ｇｔが含まれる分割領域が自動的に設定される構成としてもよい。
【０１０６】
（４）上述の各形態において、一旦設定された分割領域の変更（修正）が可能な構成が好適である。例えば、分割後画像Ｇｍにおいて、分割修正ボタンを表示する。分割修正ボタンが選択操作された場合、分割領域の設定が解除され、分割中画像ＧＭが再度表示装置２００に表示される構成が考えられる。
【０１０７】
（５）上述の各形態において、分割領域が設定された後の期間において、全ての単位画像Ｇｔを表示するフロア画像Ｇｆが表示可能な構成としてもよい。例えば、分割領域が設定された後の期間において、分割後画像Ｇｍに加え、上述の図５に示す様な分割中画像ＧＭを表示装置２００に切替えて表示可能な構成が好適である。
【０１０８】
本発明の表示処理装置は、例えば以下の表示処理装置である。
本発明の第１態様の表示処理装置は、遊技場に設置された複数の遊技用装置６０の各々に対応する複数の単位画像Ｇｔを配置したフロア画像Ｇｆ、および、フロア画像Ｇｆを移動可能な指示子（指示画像Ｇｓ）を表示装置２００に表示させる表示処理装置１００であって、指示子が位置するフロア画像ＧｆにおけるポイントＰｓを選択するための選択操作（例えばマウスクリック。図４（ａ）参照）、および、指示子を移動させるための移動操作（例えばマウスドラッグ。図４（ｂ）参照）を受付ける操作受付手段１０２と、選択操作および移動操作に応じて規定されるフロア画像の一部（図４（ｃ）のＧｒの内側の領域）を分割領域として設定可能な分割領域設定手段１０３と、複数の単位画像から分割領域内に含まれる単位画像を抜粋して表示する分割画像Ｇａを表示可能である表示制御手段１０１とを具備する。
【０１０９】
以上の構成によれば、フロア画像に表示された複数の単位画像から分割領域内に含まれる単位画像を抜粋して表示することができる。したがって、分割領域内に含まれる単位画像が抜粋して表示されない構成と比較して、当該単位画像に注目し易くなる。
【０１１０】
また、本発明の第１態様によれば、指示子が位置するフロア画像におけるポイントを選択するための選択操作（例えばマウスクリック）、および、指示子を移動させるための移動操作（例えばマウスドラッグ）の態様に応じて、フロア画像の一部を分割領域として設定可能である。したがって、直感的且つ簡単な操作で、任意の分割領域が設定可能になるという利点がある。
【０１１１】
本発明の第２態様の表示装置は、遊技場に設置された複数の遊技用装置の各々に対応する複数の単位画像を配置したフロア画像を表示装置に表示させる表示処理装置であって、フロア画像が予め定められた分割条件を満たすか否かを判定する判定手段と、フロア画像が分割条件を満たす場合、フロア画像の一部を分割領域として自動的に設定可能な分割領域設定手段と（図８参照）、複数の単位画像から分割領域内に含まれる単位画像を抜粋して表示する分割画像を表示可能である表示制御手段とを具備する。
【０１１２】
以上の構成によれば、上述の第１態様と同様に、フロア画像に表示された複数の単位画像から分割領域内に含まれる単位画像が抜粋して表示され、分割領域内に含まれる単位画像が抜粋して表示されない構成と比較して、当該単位画像に注目し易くなる。また、本発明の第２態様によれば、フロア画像の一部が分割領域として自動的に設定されるため、分割領域を設定する操作が省略できるという利点がある。
【０１１３】
本発明の第１態様および第２態様の好適な態様として、表示制御手段は、フロア画像のうち分割領域を、分割画像において拡大して表示させる。以上の構成によれば、例えば分割画像において分割領域が拡大して表示されない構成と比較して、分割画像における分割領域の視認性が向上する。
【０１１４】
本発明の第１態様および第２態様の好適な態様として、分割領域設定手段は、フロア画像の一部を第１分割領域として設定可能であるとともに、フロア画像の他の一部を第２分割領域として設定可能であり、表示制御手段は、第１分割領域に位置する単位画像を表示する第１分割画像を表示可能であるとともに、第２分割領域に位置する単位画像を表示する第２分割画像を第１分割画像に替えて表示可能である。以上の構成によれば、フロア画像に表示された複数の単位画像から第１分割領域内に含まれる単位画像を抜粋して表示可能であるとともに、第２分割領域内に含まれる単位画像を抜粋して表示可能である。
【符号の説明】
【０１１５】
１００…表示処理装置、１０１…表示制御部、１０２…操作受付部、１０３…分割領域設定部、２００…表示装置、３００…操作装置、４００…情報記憶装置
【図１】
2019181014.tif 000003
【図２】
2019181014.tif 000004
【図３】
2019181014.tif 000005
【図４】
2019181014.tif 000006
【図５】
2019181014.tif 000007
【図６】
2019181014.tif 000008
【図７】
2019181014.tif 000009
【図８】
2019181014.tif 000010
【図９】
2019181014.tif 000011
【手続補正書】
【提出日】平成31年1月11日(2019.1.11)
【手続補正１】
【補正対象書類名】特許請求の範囲
【補正対象項目名】全文
【補正方法】変更
【補正の内容】
【特許請求の範囲】
【請求項１】
遊技場に設置された複数の遊技用装置の各々に対応する複数の単位画像を配置したフロア画像、および、前記フロア画像を移動可能な指示子を表示装置に表示させる表示処理装置であって、
前記指示子が位置する前記フロア画像におけるポイントを選択するための選択操作、および、前記指示子を移動させるための移動操作を受付ける操作受付手段と、
前記選択操作および前記移動操作に応じて規定される前記フロア画像の一部を分割領域として設定可能な分割領域設定手段と、
前記複数の単位画像から前記分割領域内に含まれる前記単位画像を抜粋して表示する分割画像を表示可能である表示制御手段とを具備し、
前記フロア画像および前記分割画像における、任意の一の前記遊技用装置に対応する前記単位画像および他の前記遊技用装置に対応する前記単位画像の位置関係は、前記遊技場における、当該一の遊技用装置および当該他の遊技用装置の位置関係と略同じであり、
前記表示制御手段は、前記フロア画像および前記分割画像の双方において、前記遊技場に設置される前記遊技用装置以外の特定設備に対応する設備画像を表示可能であり、
前記フロア画像および前記分割画像における、任意の一の前記遊技用装置に対応する前記単位画像および前記設備画像の位置関係は、前記遊技場における、当該一の遊技用装置および前記特定設備の位置関係と略同じである表示処理装置。
【請求項２】
前記分割領域が設定されると、当該分割領域の外縁を表示する分割領域画像を前記フロア画像に表示可能とする分割領域表示手段をさらに具備する請求項１に記載の表示処理装置。
【請求項３】
前記分割領域設定手段は、前記フロア画像の一部を第１分割領域として設定可能であるとともに、前記フロア画像の他の一部を第２分割領域として設定可能であり、
前記分割領域表示手段は、前記第１分割領域の外縁を表示する第１分割領域画像、および、前記第２分割領域の外縁を表示する第２分割領域画像の双方を前記フロア画像に表示可能であり、
前記表示制御手段は、前記第１分割領域に位置する前記単位画像を表示する第１分割画像を表示可能であるとともに、前記第２分割領域に位置する前記単位画像を表示する第２分割画像を前記第１分割画像に替えて表示可能である請求項２に記載の表示処理装置。
【請求項４】
第１設定モードおよび第２設定モードを含む複数の設定モードの何れかを選択可能とする設定モード選択手段を具備し、
前記第１設定モードにおいて、前記第２設定モードでは第１形状の前記分割領域が設定される態様で前記選択操作および前記移動操作がされた場合、前記第１形状とは相違する第２形状の前記分割領域が設定可能である請求項１から３の何れかに記載の表示処理装置。
【請求項５】
遊技場に設置された複数の遊技用装置の各々に対応する複数の単位画像を配置したフロア画像、および、前記フロア画像を移動可能な指示子を表示装置にコンピュータが表示させる表示処理方法であって、
前記指示子が位置する前記フロア画像におけるポイントを選択するための選択操作、および、前記指示子を移動させるための移動操作を前記コンピュータが受付けるステップと、
前記選択操作および前記移動操作に応じて規定される前記フロア画像の一部を分割領域として前記コンピュータが設定可能なステップと、
前記複数の単位画像から前記分割領域内に含まれる前記単位画像を抜粋して表示する分割画像を前記コンピュータが表示するステップと、
前記フロア画像および前記分割画像の双方において、前記遊技場に設置される前記遊技用装置以外の特定設備に対応する設備画像を前記コンピュータが表示するステップとを具備し、
前記フロア画像および前記分割画像における、任意の一の前記遊技用装置に対応する前記単位画像および他の前記遊技用装置に対応する前記単位画像の位置関係は、前記遊技場における、当該一の遊技用装置および当該他の遊技用装置の位置関係と略同じであり、
前記フロア画像および前記分割画像における、任意の一の前記遊技用装置に対応する前記単位画像および前記設備画像の位置関係は、前記遊技場における、当該一の遊技用装置および前記特定設備の位置関係と略同じである表示処理方法。
【請求項６】
前記請求項５に記載の表示処理方法における各ステップを前記コンピュータに実行させることを特徴とするプログラム。
【請求項７】
遊技場に設置された複数の遊技用装置の各々に対応する複数の単位画像を配置したフロア画像、および、前記フロア画像を移動可能な指示子を表示可能な表示装置と、
前記指示子が位置する前記フロア画像におけるポイントを選択するために選択操作されるとともに、前記指示子を移動させるために移動操作される操作装置と、
前記選択操作および前記移動操作に応じて規定される前記フロア画像の一部を分割領域として設定可能であるとともに、前記複数の単位画像から前記分割領域内に含まれる前記単位画像を抜粋して表示する分割画像を前記表示装置に表示可能な表示処理装置とを具備し、
前記フロア画像および前記分割画像における、任意の一の前記遊技用装置に対応する前記単位画像および他の前記遊技用装置に対応する前記単位画像の位置関係は、前記遊技場における、当該一の遊技用装置および当該他の遊技用装置の位置関係と略同じであり、
前記表示処理装置は、前記フロア画像および前記分割画像の双方において、前記遊技場に設置される前記遊技用装置以外の特定設備に対応する設備画像を表示可能であり、
前記フロア画像および前記分割画像における、任意の一の前記遊技用装置に対応する前記単位画像および前記設備画像の位置関係は、前記遊技場における、当該一の遊技用装置および前記特定設備の位置関係と略同じである表示処理システム。
【手続補正２】
【補正対象書類名】明細書
【補正対象項目名】０００５
【補正方法】変更
【補正の内容】
【０００５】
以上の課題を解決するために、本発明の第１態様の表示処理装置は、遊技場に設置された複数の遊技用装置の各々に対応する複数の単位画像を配置したフロア画像、および、フロア画像を移動可能な指示子を表示装置に表示させる表示処理装置であって、指示子が位置するフロア画像におけるポイントを選択するための選択操作、および、指示子を移動させるための移動操作を受付ける操作受付手段と、選択操作および移動操作に応じて規定されるフロア画像の一部を分割領域として設定可能な分割領域設定手段と、複数の単位画像から分割領域内に含まれる単位画像を抜粋して表示する分割画像を表示可能である表示制御手段とを具備し、フロア画像および分割画像における、任意の一の遊技用装置に対応する単位画像および他の遊技用装置に対応する単位画像の位置関係は、遊技場における、当該一の遊技用装置および当該他の遊技用装置の位置関係と略同じであり、表示制御手段は、フロア画像および分割画像の双方において、遊技場に設置される遊技用装置以外の特定設備に対応する設備画像を表示可能であり、フロア画像および分割画像における、任意の一の遊技用装置に対応する単位画像および設備画像の位置関係は、遊技場における、当該一の遊技用装置および特定設備の位置関係と略同じである。
以上の構成によれば、フロア画像に表示された複数の単位画像から分割領域内に含まれる単位画像を抜粋して表示することができる。したがって、分割領域内に含まれる単位画像が抜粋して表示されない構成と比較して、当該単位画像に注目し易くなる。
また、本発明の第１態様によれば、指示子が位置するフロア画像におけるポイントを選択するための選択操作（例えばマウスクリック）、および、指示子を移動させるための移動操作（例えばマウスドラッグ）の態様に応じて、フロア画像の一部を分割領域として設定可能である。したがって、直感的且つ簡単な操作で、任意の分割領域が設定可能になるという利点がある。
【手続補正書】
【提出日】令和1年5月7日(2019.5.7)
【手続補正１】
【補正対象書類名】特許請求の範囲
【補正対象項目名】全文
【補正方法】変更
【補正の内容】
【特許請求の範囲】
【請求項１】
遊技場に設置された複数の遊技用装置の各々に対応する複数の単位画像を配置したフロア画像、および、前記フロア画像を移動可能な指示子を表示装置に表示させる表示処理装置であって、
前記指示子が位置する前記フロア画像におけるポイントを選択するための選択操作、および、前記指示子を移動させるための移動操作を受付ける操作受付手段と、
前記選択操作および前記移動操作に応じて分割領域画像を前記フロア画像に表示させるとともに、前記分割領域画像で囲まれる領域を分割領域として設定可能な分割領域設定手段と、
前記複数の単位画像から前記分割領域内に含まれる前記単位画像を抜粋して表示する分割画像を表示可能である表示制御手段と、
第１設定モードおよび第２設定モードを含む複数の設定モードの何れかを選択可能とする設定モード選択手段とを具備し、
前記フロア画像および前記分割画像における、任意の一の前記遊技用装置に対応する前記単位画像および他の前記遊技用装置に対応する前記単位画像の位置関係は、前記遊技場における、当該一の遊技用装置および当該他の遊技用装置の位置関係と略同じであり、
前記表示制御手段は、前記フロア画像および前記分割画像の双方において、前記遊技場に設置される前記遊技用装置以外の特定設備に対応する設備画像を表示可能であり、
前記フロア画像および前記分割画像における、任意の一の前記遊技用装置に対応する前記単位画像および前記設備画像の位置関係は、前記遊技場における、当該一の遊技用装置および前記特定設備の位置関係と略同じであり、
前記第１設定モードと前記第２設定モードとでは、１回の前記選択操作および前記移動操作により表示される前記分割領域画像の形状が相違する表示処理装置。
【請求項２】
前記分割領域設定手段は、前記フロア画像の一部を第１分割領域として設定可能であるとともに、前記フロア画像の他の一部を第２分割領域として設定可能であり、前記第１分割領域の外縁を表示する第１分割領域画像、および、前記第２分割領域の外縁を表示する第２分割領域画像の双方を前記フロア画像に表示可能であり、
前記表示制御手段は、前記第１分割領域に位置する前記単位画像を表示する第１分割画像を表示可能であるとともに、前記第２分割領域に位置する前記単位画像を表示する第２分割画像を前記第１分割画像に替えて表示可能である請求項１に記載の表示処理装置。
【請求項３】
遊技場に設置された複数の遊技用装置の各々に対応する複数の単位画像を配置したフロア画像、および、前記フロア画像を移動可能な指示子を表示装置にコンピュータが表示させる表示処理方法であって、
前記指示子が位置する前記フロア画像におけるポイントを選択するための選択操作、および、前記指示子を移動させるための移動操作を前記コンピュータが受付けるステップと、
前記選択操作および前記移動操作に応じて分割領域画像を前記フロア画像に表示させるとともに、前記分割領域画像で囲まれる領域を分割領域として前記コンピュータが設定可能なステップと、
前記複数の単位画像から前記分割領域内に含まれる前記単位画像を抜粋して表示する分割画像を前記コンピュータが表示するステップと、
第１設定モードおよび第２設定モードを含む複数の設定モードの何れかを前記コンピュータが選択可能とするステップと、
前記フロア画像および前記分割画像の双方において、前記遊技場に設置される前記遊技用装置以外の特定設備に対応する設備画像を前記コンピュータが表示するステップとを具備し、
前記フロア画像および前記分割画像における、任意の一の前記遊技用装置に対応する前記単位画像および他の前記遊技用装置に対応する前記単位画像の位置関係は、前記遊技場における、当該一の遊技用装置および当該他の遊技用装置の位置関係と略同じであり、
前記フロア画像および前記分割画像における、任意の一の前記遊技用装置に対応する前記単位画像および前記設備画像の位置関係は、前記遊技場における、当該一の遊技用装置および前記特定設備の位置関係と略同じであり、
前記第１設定モードと前記第２設定モードとでは、１回の前記選択操作および前記移動操作により表示される前記分割領域画像の形状が相違する表示処理方法。
【請求項４】
前記請求項３に記載の表示処理方法における各ステップを前記コンピュータに実行させることを特徴とするプログラム。
【請求項５】
遊技場に設置された複数の遊技用装置の各々に対応する複数の単位画像を配置したフロア画像、および、前記フロア画像を移動可能な指示子を表示可能な表示装置と、
前記指示子が位置する前記フロア画像におけるポイントを選択するために選択操作されるとともに、前記指示子を移動させるために移動操作される操作装置と、
前記選択操作および前記移動操作に応じて分割領域画像を前記フロア画像に表示させ、前記分割領域画像で囲まれる領域を分割領域として設定可能であるとともに、前記複数の単位画像から前記分割領域内に含まれる前記単位画像を抜粋して表示する分割画像を前記表示装置に表示可能であり、第１設定モードおよび第２設定モードを含む複数の設定モードの何れかを選択可能とする表示処理装置とを具備し、
前記フロア画像および前記分割画像における、任意の一の前記遊技用装置に対応する前記単位画像および他の前記遊技用装置に対応する前記単位画像の位置関係は、前記遊技場における、当該一の遊技用装置および当該他の遊技用装置の位置関係と略同じであり、
前記表示処理装置は、前記フロア画像および前記分割画像の双方において、前記遊技場に設置される前記遊技用装置以外の特定設備に対応する設備画像を表示可能であり、
前記フロア画像および前記分割画像における、任意の一の前記遊技用装置に対応する前記単位画像および前記設備画像の位置関係は、前記遊技場における、当該一の遊技用装置および前記特定設備の位置関係と略同じであり、
前記第１設定モードと前記第２設定モードとでは、１回の前記選択操作および前記移動操作により表示される前記分割領域画像の形状が相違する表示処理システム。
【手続補正２】
【補正対象書類名】明細書
【補正対象項目名】０００５
【補正方法】変更
【補正の内容】
【０００５】
以上の課題を解決するために、本発明の第１態様の表示処理装置は、遊技場に設置された複数の遊技用装置の各々に対応する複数の単位画像を配置したフロア画像、および、フロア画像を移動可能な指示子を表示装置に表示させる表示処理装置であって、指示子が位置するフロア画像におけるポイントを選択するための選択操作、および、指示子を移動させるための移動操作を受付ける操作受付手段と、選択操作および移動操作に応じて分割領域画像をフロア画像に表示させるとともに、分割領域画像で囲まれる領域を分割領域として設定可能な分割領域設定手段と、複数の単位画像から分割領域内に含まれる単位画像を抜粋して表示する分割画像を表示可能である表示制御手段と、第１設定モードおよび第２設定モードを含む複数の設定モードの何れかを選択可能とする設定モード選択手段とを具備し、フロア画像および分割画像における、任意の一の遊技用装置に対応する単位画像および他の遊技用装置に対応する単位画像の位置関係は、遊技場における、当該一の遊技用装置および当該他の遊技用装置の位置関係と略同じであり、表示制御手段は、フロア画像および分割画像の双方において、遊技場に設置される遊技用装置以外の特定設備に対応する設備画像を表示可能であり、フロア画像および分割画像における、任意の一の遊技用装置に対応する単位画像および設備画像の位置関係は、遊技場における、当該一の遊技用装置および特定設備の位置関係と略同じであり、第１設定モードと第２設定モードとでは、１回の選択操作および移動操作により表示される分割領域画像の形状が相違する。
以上の構成によれば、フロア画像に表示された複数の単位画像から分割領域内に含まれる単位画像を抜粋して表示することができる。したがって、分割領域内に含まれる単位画像が抜粋して表示されない構成と比較して、当該単位画像に注目し易くなる。
また、本発明の第１態様によれば、指示子が位置するフロア画像におけるポイントを選択するための選択操作（例えばマウスクリック）、および、指示子を移動させるための移動操作（例えばマウスドラッグ）の態様に応じて、フロア画像の一部を分割領域として設定可能である。したがって、直感的且つ簡単な操作で、任意の分割領域が設定可能になるという利点がある。